(57)【要約】【課題】  プリンタなどの画像出力装置において、ジョブ出力の前工程として、スポットカラー補正を行うのではなく、ジョブ出力と同時に補正も行い、その結果を適用して出力すること。それによりユーザの手間を軽減する。【解決手段】  プリント命令後、ジョブをホールドし、スポットカラー補正テーブルを作成する。ジョブホールドを解除後、それを適用して出力する。【選択図】  図９
2008301351.tif 000002
【特許請求の範囲】
【請求項１】
プリンタプロファイルを使ったカラーマッチングによりプリンタにカラー画像を出力させるシステムにおいて、
ジョブチケットデータにスポットカラー補正設定情報を持たせる手段と、
ジョブを一旦ホールドし、上記ジョブチケットデータ中のスポットカラー補正設定情報を解析する手段と、
上記スポットカラー設定情報に記載された目標値を実現するためにスポットカラー補正処理を行う手段と、
上記スポットカラー補正処理の結果からスポットカラー補正テーブルを作成する手段と、
上記ホールドされていたジョブを解除し、上記スポットカラー補正テーブルを前記ジョブに適用し出力する手段と
を有することを特徴とするスポットカラー補正方法。
【請求項２】
前記スポットカラー補正設定情報として、スポットカラー補正フラグ情報と補正したい色の識別子を記載することを特徴とする請求項１記載のスポットカラー補正方法。
【請求項３】
前記スポットカラー補正処理は、
上記ジョブチケットデータに記載された目標色に応じたデバイス非依存色空間のカラーパッチデータを生成する手段と、
上記カラーパッチデータをプリンタデバイス依存色空間のチャートであるデバイス色パッチデータに変換する手段と、
上記デバイス色パッチデータをプリンタから出力しデバイス色パッチチャートを生成する手段と、
上記デバイス色パッチチャートを自動もしくは手動で測色する測色手段と、
上記測色結果に基づき目標値を実現するためのデバイス色を推定する手段とを有することを特徴とする請求項１記載のスポットカラー補正方法。
【請求項４】
前記スポットカラー補正テーブルは上記目標色に対応して上記プリンタプロファイルとの差分値を保持させることを特徴とする請求項１記載のスポットカラー補正方法。
【請求項５】
前記デバイス色パッチチャートは、8点のＣ、Ｍ、Ｙ、K混色の多次色パッチチャートであることを特徴とする請求項３記載のスポットカラー補正処理。
【請求項６】
前記測色手段は、ＲＧＢ出力のカラーセンサもしくは測色計、もしくは濃度計であることを特徴とする請求項３記載のスポットカラー補正処理。
【請求項７】
上記ホールドしていたジョブを解除後、出力作業においては上記目標色に対応する上記プリンタプロファイルとの差分値を上記スポットカラー補正テーブルから参照し、デバイス非依存色空間において目標色を内包するルックアップテーブルのグリッド8点に対して該差分値を加算することによって補正を行い、ジョブに適用することを特徴とする請求項１記載のスポットカラー補正方法。
【発明の詳細な説明】
【技術分野】
【０００１】
本発明は、カラープリンタに出力する際に、ある特定の色に対して安定した出力を得るために行うキャリブレーションまたはプリンタプロファイルの調整技術に関するものである。
【背景技術】
【０００２】
カラープリンタを使ってある目標色を忠実に再現する技術として、スポットカラーマッチング技術などがある。これは、初期状態でプリンタプロファイルが適切に調整されていることが前提で成り立つ技術であり、プリンタの状態が環境変動などの影響を受けると、安定した出力が得られないことがある。その解決案として、プリンタプロファイルの再作成が考えられるが、これはプリンタの色再現空間全体に対して最適化したプロファイルを生成するものであるため、その作業の手間と時間がかかることが問題となる。
【０００３】
そこで、初期プロファイルにおいてデバイス非依存色空間からプリンタ色再現空間への対応関係で目標色の変換に影響する部分を変更し、目標色に対して上記推定したプリンタ色が対応するようにプリンタプロファイルの調整を行うという手法が提案された。また、特開2006-157294公報では、プリンタプロファイル自体を書き換えずに別途スポットカラー補正テーブルを作成し、それを適用して補正を行う方法が提案された。
【特許文献１】特開2006-157294号公報
【特許文献２】特開２００１−３２４８４６号公報
【発明の開示】
【発明が解決しようとする課題】
【０００４】
しかしながら上記提案では、画像出力前に補正処理を行わなければならなかったため、ユーザに手間がかかってしまうという問題があった。
【課題を解決するための手段】
【０００５】
このような目的を達成するために、本発明は、
プリンタプロファイルを使ったカラーマッチングによりプリンタにカラー画像を出力させるシステムにおいて、
ジョブチケットデータにスポットカラー補正設定情報を持たせる手段と、
ジョブを一旦ホールドし、上記ジョブチケットデータ中のスポットカラー補正設定情報を解析する手段と、
上記スポットカラー設定情報に記載された目標値を実現するためにスポットカラー補正処理を行う手段と、
上記スポットカラー補正処理の結果からスポットカラー補正テーブルを作成する手段と、
上記ホールドされていたジョブを解除し、上記スポットカラー補正テーブルを前記ジョブに適用し出力する手段手段と
を有することを特徴とする。
【発明の効果】
【０００６】
本発明により、ジョブ出力を行う前に補正処理を行う作業がなくなり、ジョブに合わせて、スポットカラー補正処理とジョブへの適用処理、出力作業を同時に行うことができる。
【発明を実施するための最良の形態】
【０００７】
以下に本発明の実施例を、図面を参照しながら詳細に説明する。
【０００８】
図１は本発明の一実施例によるネットワークシステムの構成を示す図である。
【０００９】
図１のように、本実施例によるネットワークシステムは、ＬＡＮ等のサイトＡに、プリンタコントローラとなるフロントエンドサーバ１、プリンタエンジン２（フロントエンドサーバでネットワークに接続）、クライアントＡ（ＰＣとモニタを含む）が接続され、構成されている。クライアントＡは、ユーザに対して情報表示やデータ入力の受け付けをするUIが接続されており、また、画像処理に必要なＣＰＵ・ＶＲＡＭ等及びネットワーク上の通信に必要な通信機能を備えている。
【００１０】
図２は前出のフロントエンドサーバ１、プリンタエンジン２の構成を示す図である。
【００１１】
図２のように、フロントエンドサーバ１はネットワークに接続するためのネットワークＩ／Ｆ（インタフェース）部１０、ジョブデータを制御するジョブ制御部１１、ＰＤＬ（ページ記述言語）を解析して中間データを生成するＰＤＬインタプリタ部１２、ＰＤＬインタプリタ部で生成された中間データが格納される中間データ格納部１３、中間データ格納部に格納された中間データをビットマップイメージデータに変換するレンダリング部１４、プリンタエンジン２とのデータのやり取りを行うための通信インタフェース部１５、ユーザが設定するデバイス非依存色空間の色値である目標色を格納する目標色格納部１６、目標色に対して生成される複数の色から構成されるカラーパッチチャートを生成するカラーパッチ生成部１７、該カラーパッチを格納するカラーパッチデータ格納部１７A、ジョブに対して指定されたカラーマッチング及びキャリブレーション処理を行うカラーマネージメント処理部１８、カラーマッチングに使用されるプロファイルが格納されるプロファイル格納部１８Ａ、キャリブレーションデータのうち、一次元ＬＵＴが格納されるキャリブレーション一次元ＬＵＴ（Look Up Table）格納部１８B、デバイス非依存のカラーパッチデータをプリンタ色に変換したデバイス色パッチデータの保存場所であるデバイス色パッチデータ格納部１９、現在の状態ではプリンタが目標色をどんな色で出力するかを、カラーセンサの測色結果を元に推測するデバイス色推定部２０、該デバイス色を格納するデバイス色格納部２０A、初期プリンタプロファイルを現在の状態に合わせるためのスポット補正値テーブルを生成・更新するスポット補正テーブル調整部２１、該スポット補正テーブルを格納するスポット補正テーブル格納部２１A、目標色をカラーセンサが読み取ったデータが格納される測色値格納部２２から構成される。
【００１２】
また、ジョブ制御部１１は、ジョブをホールドする等の管理を行うジョブ管理部１１Ａ、ジョブ中のジョブチケットを解析するジョブ解析部１１Ｂから構成されている。
【００１３】
プリンタエンジン２は、フロントエンドサーバ１とデータをやりとりする通信Ｉ／Ｆ部２３、出力部２４、カラーセンサを制御するカラーセンサ制御部２５、パッチ出力を読み取るカラーセンサ２６、カラーセンサで読み取られたデータが格納される測色値格納部２７から成る。
【００１４】
図３は、画像データの処理の流れを示す図である。通常のカラーマネージメント処理においてＲＧＢデータもしくはＣＭＹＫデータが入力されるとソースプロファイル、プリンタプロファイルを通してカラーマッチングされ、その後キャリブレーション一次元ＬＵＴに通され、補正されたＣＭＹＫデータとなって出力される。スポットカラー補正の結果を適用する場合は、スポットカラー補正テーブルの目標色の補正データとプリンタプロファイルの両方を参照して、該画像データを出力する。
【００１５】
図４は、本発明で使用されるスポットカラー補正テーブルの一例である。色票毎にテーブルを分け、各テーブルはそれぞれ、色番号、該当する色度、該色票色を出力する際の初期プリンタプロファイルとの差分値（デバイス色の補正値）を項目として保持する。
【００１６】
図５は、本発明の一実施例を説明するＬａｂ色空間の模式図である。目標色 (L1,a1,b1) に対してプリンタプロファイルのルックアップテーブル（Lab→CMYK）の目標色を囲む８点のグリッドを示している。変動前は初期プロファイルによるマッチング結果 (C1,M1,Y1,K1) で目標色 (L1,a1,b1) が再現できていた。プリンタの変動により目標色 (L1,a1,b1) を再現するためにマッチング結果が (C2,M2,Y2,K2) となるようにスポットカラー補正テーブルの調整を行う。
【００１７】
図６は、本提案で使用されるカラーセンサの例である。特開２００１−３２４８４６号公報の図８で示されたようなカラーセンサを使用してもよい。カラーセンサ２８はホルダー２８Ｃ内に、ＬＥＤなどの発光素子２８Ａ、およびフォトダイオード、ＣｄＳなどの受光素子２８Ｂに組み込んで成っている。カラーセンサ２８は、発光素子２８Ａから光を転写ベルト２９上のパッチＴに照射し、パッチＴからの反射光を受光素子２８Ｂで受け取ることにより、パッチＴの色度を測定するものである。
【００１８】
図７は、ジョブデータが、ジョブに対して処理を指示する内容が記述されているジョブチケットデータと、ＰＤＦ、ＰＳ、ＴＩＦＦ、ＪＰＥＧ等の実際のデータであるジョブデータファイルから構成されていることを示している。
【００１９】
図８は、ジョブチケットデータの一例を示している。ここでは、レイアウト情報には用紙サイズ設定情報、用紙種類の情報、ページオリエンテーション情報等が含まれる。またカラーマネージメント情報は、ＲＧＢとＣＭＹＫのソースプロファイル、プリンタプロファイル、キャリブレーション設定などで構成されている。
【００２０】
図９は、ジョブチケットデータ中のキャリブレーション設定表示の一例を示している。ここには、スポットカラー補正を行うか行わないかを選ぶスポットカラー補正フラグや、補正したい色番号もしくは色度などが含まれる。
【００２１】
図１０は、図２の構成を用いて本発明のスポットカラー補正テーブルの生成工程を説明するフローチャートである。
【００２２】
ステップ１００において、クライアントAのUIからフロントエンドサーバ１にプリント命令が出され、ジョブデータをネットワークを通じて送信してステップ１０１に進む。
【００２３】
ステップ１０１で、ジョブ制御部１１が制御し、ジョブ管理部１１Ａに該ジョブデータを一旦ホールドし、ジョブファイルのデータ処理を待機状態にして、ステップ１０２に進む。
【００２４】
ステップ１０２で該ジョブデータ中のジョブチケットデータのみを取り出し、ジョブ解析部１１Ｂで解析する。ここで目標色の色番号が取り出され、ステップ１０３へ進む。
【００２５】
ステップ１０３において、目標色とプロファイル格納部１８Aに格納されている初期プリンタプロファイルを使って、カラーパッチ生成部１７によりデバイス非依存色のカラーパッチデータが生成される。該カラーパッチデータはカラーパッチデータ格納部１７Aに格納される。
【００２６】
ステップ１０４において、カラーマネージメント処理部１８により、カラーパッチ格納部１７Aに格納されているデバイス非依存色のカラーパッチデータが、初期プリンタプロファイルを使ってデバイス色パッチデータに変換される。例えば、目標色 (L1,a1,b1) に対しては、 (C1,M1,K1,Y1) という結果が得られる。これをデバイス色パッチデータ格納部１９に格納する。
【００２７】
ステップ１０５で、先ほどのデバイス色パッチデータがプリンタエンジン２に転送され、出力部２４が該デバイス色パッチデータを使ってカラーチャート出力物を出力する。
【００２８】
ステップ１０６で、カラーセンサ制御部２５がカラーセンサ２６を使ってカラーチャート出力物の測色を行い、カラーチャート測色値を求め、測色値格納部２７に格納する。
【００２９】
ステップ１０７において、測色値格納部２７にあるカラーチャート測色値がフロントエンドサーバ1に転送され、デバイス色推定部２０がデバイス色パッチデータと該カラーチャート測色値から目標色を再現するためのデバイス色を推定する。例えばデバイス非依存色空間において補間計算をすればよい。ここでの計算例は、図１０の説明の後に、詳細に説明する。ここで得られたデバイス色推定値を(C2,M2,K2,Y2)とし、デバイス色格納部２０Aに格納される。
【００３０】
ステップ１０８において、スポット補正テーブル調整部２１が目標色(L1,a1,b1)に対してのマッチング結果が、デバイス色(C2,M2,K2,Y2)になるように、スポット補正テーブルに初期プリンタプロファイルとの差分値(C2-C1, M2-M1, Y2-Y1, K2-K1)を書き込む。更新したテーブルは、スポット補正テーブル格納部２１Aに格納し、ステップ１０９に進む。
【００３１】
ステップ１０９において、ホールドしていたジョブを解除し、更新したスポットカラー補正テーブルと初期プリンタプロファイルを該ジョブに適用し、印刷して処理を終了する。
【００３２】
図１１は、ステップ１０２におけるジョブチケット解析処理を詳細に説明するフローチャートである。
【００３３】
ステップ１１０において、該ジョブデータ中のジョブチケットデータのみを取り出し、ステップ１１１へ進む。
【００３４】
ステップ１１１において該ジョブチケットデータをジョブ解析部１１Ｂで解析し、キャリブレーション設定内のスポットカラー補正フラグの値を確認する。フラグがONの場合は、補正色番号を抽出し、プロファイル格納部１８Aにあるスポットカラー用ソースプロファイルを参照して、対応するデバイス非依存の色値を得て、ステップ１１２に進む。
【００３５】
ステップ１１２において、補正したい色番号と対応するデバイス非依存の色値を、目標色格納部１６に保持させ、処理を終了する。
【００３６】
図１２は、ステップ１０３におけるカラーパッチデータ作成処理を詳細に説明するフローチャートである。
【００３７】
ステップ１２０において、目標色格納部１６に格納された目標色を (L1,a1,b1) とし、それを取り出す。ただし、
0≦L1≦100, -128≦a1≦128, -128≦b1≦128
とする。続いてステップ１２１に進む。
【００３８】
ステップ１２１において、プロファイルのルックアップテーブルのグリッド数から１を減算した値を n とする。例えばグリッド数が３３であれば n = 32 である。
【００３９】
i = L1/100 * n
j = (a1+128)/256 * n
k = (b1+128)/256 * n
（小数点以下切捨て）
上記式によりLab色空間グリッドのインデックス i, j, k を求める。0≦i, j, k≦n
ステップ１２２において、初期プリンタプロファイルの BToA1Tag の３次元ルックアップテーブルから
(i, j, k) (i, j, k+1) (i, j+1, k) (i, j+1, k+1) 
(i+1, j, k) (i+1, j, k+1) (i+1, j+1, k) (i+1, j+1, k+1)
上記のインデックスで示される８点グリッドのデータをカラーパッチデータとし、順に P11, P12, P13, P14, P15, P16, P17, P18 とする。これで処理を終了する。
【００４０】
ここで、ステップ１０７におけるデバイス色の推定処理例を詳細に説明する。
上記８点のカラーパッチ P11〜P18 のデバイス色パッチデータをそれぞれ(C11,M11,Y11,K11)〜(C18,M18,Y18,K18)とし、カラーチャート測色値をそれぞれ(L11,a11,b11)〜(L18,a18,b18)とする。またP21〜P27は、デバイス色推定値P2を求めるための中間データとする。
【００４１】
（P11,P12からP21を求める）
L21 = (L12-L11)*(b1-b11)/(b12-b11) + L11
a21 = (a12-a11)*(b1-b11)/(b12-b11) + a11
C21 = (C12-C11)*(b1-b11)/(b12-b11) + C11
M21 = (M12-M11)*(b1-b11)/(b12-b11) + M11
Y21 = (Y12-Y11)*(b1-b11)/(b12-b11) + Y11
K21 = (K12-K11)*(b1-b11)/(b12-b11) + K11
（P13,P14からP22を求める）
L22 = (L14-L13)*(b1-b13)/(b14-b13) + L13
a22 = (a14-a13)*(b1-b13)/(b14-b13) + a13
C22 = (C14-C13)*(b1-b13)/(b14-b13) + C13
M22 = (M14-M13)*(b1-b13)/(b14-b13) + M13
Y22 = (Y14-Y13)*(b1-b13)/(b14-b13) + Y13
K22 = (K14-K13)*(b1-b13)/(b14-b13) + K13
（P21,P22からP23を求める）
L23 = (L22-L21)*(a1-a21)/(a22-a21) + L21
C23 = (C22-C21)*(a1-a21)/(a22-a21) + C21
M23 = (M22-M21)*(a1-a21)/(a22-a21) + M21
Y23 = (Y22-Y21)*(a1-a21)/(a22-a21) + Y21
K23 = (K22-K21)*(a1-a21)/(a22-a21) + K21
（P15,P16からP24を求める）
L24 = (L16-L15)*(b1-b15)/(b16-b15) + L15
a24 = (a16-a15)*(b1-b15)/(b16-b15) + a15
C24 = (C16-C15)*(b1-b15)/(b16-b15) + C15
M24 = (M16-M15)*(b1-b15)/(b16-b15) + M15
Y24 = (Y16-Y15)*(b1-b15)/(b16-b15) + Y15
K24 = (K16-K15)*(b1-b15)/(b16-b15) + K15
（P17,P18からP25を求める）
L25 = (L18-L17)*(b1-b17)/(b18-b17) + L17
a25 = (a18-a17)*(b1-b17)/(b18-b17) + a17
C25 = (C18-C17)*(b1-b17)/(b18-b17) + C17
M25 = (M18-M17)*(b1-b17)/(b18-b17) + M17
Y25 = (Y18-Y17)*(b1-b17)/(b18-b17) + Y17
K25 = (K18-K17)*(b1-b17)/(b18-b17) + K17
（P24,P25からP26を求める）
L26 = (L25-L24)*(a1-a24)/(a25-a24) + L24
C26 = (C25-C24)*(a1-a24)/(a25-a24) + C24
M26 = (M25-M24)*(a1-a24)/(a25-a24) + M24
Y26 = (Y25-Y24)*(a1-a24)/(a25-a24) + Y24
K26 = (K25-K24)*(a1-a24)/(a25-a24) + K24
（P23,P26からP27を求める）
C27 = (C26-C23)*(L1-L23)/(L26-L23) + C23
M27 = (M26-M23)*(L1-L23)/(L26-L23) + M23
Y27 = (Y26-Y23)*(L1-L23)/(L26-L23) + Y23
K27 = (K26-K23)*(L1-L23)/(L26-L23) + K23
(C27,M27,Y27,K27)が推定されたデバイス色(C2,M2,Y2,K2)である。
【００４２】
図１３は、ステップ１０９におけるジョブの印刷再開処理の詳細を説明するフローチャートである。
【００４３】
ステップ１３０で、ジョブ管理部１１Ａにホールドしてあったジョブファイルの処理を再開する。
【００４４】
ステップ１３１において、ＰＤＬインタプリタ部１２でジョブファイルのデータを解析して、中間データを生成して、ステップ１３２に進む。
【００４５】
ステップ１３２で、ステップ１３１で生成された中間データを中間データ格納部１３に格納し、ステップ１３３へ進む。
【００４６】
ステップ１３３において、中間データ格納部１３に格納された中間データに対して、カラーマネージメント処理部１８において、スポットカラー補正テーブルを使用して、入力データに対してカラーマッチング及びキャリブレーション処理を行うフローを適用してステップ１３４に進む。
【００４７】
ステップ１３４において、ステップ１３３の中間データを、レンダリング部１４でビットマップイメージデータに展開してステップ１３５に進む。
【００４８】
ステップ１３５において、前記展開されたビットマップイメージデータをプリンタエンジン２に転送し、ステップ１３６に進む。
【００４９】
ステップ１３６において、Ｉｎｆｏ＿ｍｅｄｉａ情報に基づいて用紙を選択してステップ１３７に進む。
【００５０】
ステップ１３７で、前記選択された用紙に印刷し、処理を終了する。
【００５１】
図１４は、ステップ１３３のスポットカラー補正テーブルを用いた補正処理の詳細を示すフローチャートである。
【００５２】
ステップ１４０において、目標色の色番号が目標格納部１６から取り出される。
【００５３】
ステップ１４１において、スポットカラー用ソースプロファイルから、入力した色番号に対応した目標色 (L1,a1,b1)を得て、ステップ１４２に進む。
【００５４】
ステップ１４２において、 プロファイル格納部１８Ａにある初期プリンタプロファイルより目標色 (L1,a1,b1)に対応するデバイス依存のデバイス色を得る。その結果を (C1,M1,K1,Y1) とする。また、スポットカラー補正テーブル格納部２１Ａにあるスポットカラー補正テーブルより、初期プリンタプロファイル作成時のデバイス色と現在の状態でのデバイス色との差分値(C2-C1, M2-M1, Y2-Y1, K2-K1)を得る。
【００５５】
ステップ１４３において、初期プロファイルの３次元ルックアップテーブルのグリッドでLab色空間上において目標色 (L1,a1,b1) を囲む上述の P11〜P18 の８点に対して、(C2-C1, M2-M1, Y2-Y1, K2-K1) を加算して、ステップ１４４に進む。
【００５６】
ステップ１４４で、カラーマネージメント処理部１８にてカラーマッチングを行い、処理を終了する。
【００５７】
（他の実施例）
本実施例では、出力パッチの読み取り手段として、カラーセンサ（ＲＧＢ）を例として挙げているが、色度を測定可能な測色計を代用することも可能である。
また本実施例では、１つのサイトによる処理を挙げているが、カラーセンサのように自動的に測色する測色機を利用することにより、ＷＡＮ等の大規模ネットワークで結ばれた複数のサイトで構成されるネットワーク上においてリモート処理を行うことも可能である。
【００５８】
また本実施例では、目標色を色票の色番号によって指定する例を挙げているが、デバイス非依存の色値をインデックスとしたスポットカラー補正テーブルへの拡張も可能である。
【図面の簡単な説明】
【００５９】
【図１】本発明の一実施例によるネットワークシステムの構成を示す図である。
【図２】フロントエンドサーバ１、プリンタエンジン２の構成を示す図である。
【図３】カラーマネージメント処理のフロー図である。
【図４】スポット補正テーブルの一例である。
【図５】本発明の一実施例を説明するＬａｂ色空間の模式図である。
【図６】本発明において使用されるカラーセンサの一例である。
【図７】ジョブデータの内部構成を示す図である。
【図８】ジョブチケットデータの内部構成を示す図である。
【図９】ジョブチケットデータ内のスポットカラー補正に関する設定を示す図である。
【図１０】本発明のメイン処理のフローチャートである。
【図１１】ステップ１０２でジョブチケットを解析する処理の詳細を示すフローチャートである。
【図１２】ステップ１０３でのカラーパッチデータ作成処理の詳細を示すフローチャートである。
【図１３】ステップ１０９でのジョブのホールドを解除する処理の詳細を示すフローチャートである。
【図１４】ステップ１３３でのスポットカラー補正テーブルによるCMS処理の詳細を示すフローチャートである。
【符号の説明】
【００６０】
１０  ネットワークＩ／Ｆ部
１１  ジョブ制御部
１１Ａ  ジョブ管理部
１１Ｂ  ジョブ解析部
１２  ＰＤＬインタプリタ部
１３  中間データ格納部
１４  レンダリング部
１５  （フロントエンドサーバ１）通信Ｉ／Ｆ部
１６  目標値格納部
１７  カラーパッチ生成部
１７Ａ  カラーパッチデータ格納部
１８  カラーマネージメント処理部
１８Ａ  プロファイル格納部
１８Ｂ  キャリブレーション一次元ＬＵＴ
１９  デバイス色パッチデータ格納部
２０  デバイス色推定部
２０Ａ  デバイス色格納部
２１  スポットカラー補正テーブル調整部
２１Ａ  スポットカラー補正テーブル格納部
２２  測色値格納部
２３  （プリンタエンジン２）通信Ｉ／Ｆ部
２４  出力部
２５  カラーセンサ制御部
２６  カラーセンサ
２７  （プリンタエンジン２）測色値格納部
２８  カラーセンサ
２８Ａ  発光素子
２８Ｂ  受光素子
２８Ｃ  ホルダー
２９  転写ベルト
【図１】
2008301351.tif 000003
【図２】
2008301351.tif 000004
【図３】
2008301351.tif 000005
【図４】
2008301351.tif 000006
【図５】
2008301351.tif 000007
【図６】
2008301351.tif 000008
【図７】
2008301351.tif 000009
【図８】
2008301351.tif 000010
【図９】
2008301351.tif 000011
【図１０】
2008301351.tif 000012
【図１１】
2008301351.tif 000013
【図１２】
2008301351.tif 000014
【図１３】
2008301351.tif 000015
【図１４】
2008301351.tif 000016